(57)【要約】  泡製品用の吐出機構（１）は、液体チャンバ（９）と空気チャンバ（１０）とを備え、それぞれが共通のアクチュエータ機構（６ａ、６ｂ）により圧縮され、液体と空気が同時に発泡チャンバ（１５）に入る。液体は複数の分散したチャネル（１８ｅ）を画定する拡散器（１８ａ）を通過させられる。各チャネル（１８ｅ）は所定の断面積を有し、使用時に液体はチャネルを強制的に通過させられて、複数のジェットとなって発泡チャンバに入る。吐出機構（１）は泡を生成するために特に有利な構成を提供し、吐出サイクルの終了後に出口から泡が滴下することを防ぐ構成とすることができる。
2010540355.tif 000002
【特許請求の範囲】
【請求項１】
液体製品を受容するように構成された液体チャンバと、
空気を受容するように構成された空気チャンバと、
アクチュエータ機構と、
発泡チャンバと、
を備える泡製品用の吐出機構であって、
前記アクチュエータ機構がシャフトを含み、その変位が前記液体チャンバと前記空気チャンバの両方の容積を同時に減少させ、前記各チャンバ内の前記空気及び液体を前記発泡チャンバに入らしめ、
前記発泡チャンバは前記シャフトの内部に一体的に形成され、
前記液体が前記発泡チャンバに入るのに通過する拡散器が前記シャフト内に配置され、
前記拡散器は複数の分散したチャネルを画定し、該各チャネルが所定の断面積を有して使用時に前記液体が前記チャネルを介して複数のジェットとなって前記発泡チャンバに入ることを特徴とする吐出機構。
【請求項２】
前記アクチュエータ機構が、前記シャフト上に位置する第１及び第２のピストンを備え、それぞれのピストンは前記液体チャンバ及び空気チャンバのそれぞれ１つに作用することを特徴とする請求項１に記載の吐出機構。
【請求項３】
第１のチャンバが円筒形状を成し、その中へ前記第１のピストンが延伸して前記チャンバ内の内容物を加圧し、前記発泡チャンバは前記シャフト内に形成されていることを特徴とする請求項２に記載の吐出機構。
【請求項４】
各チャンバに関連する前記ピストンが各チャンバから最大限に後退する休止位置に、前記アクチュエータ機構が付勢されていることを特徴とする請求項１乃至３のいずれか１項に記載の吐出機構。
【請求項５】
前記休止位置において、前記液体チャンバは関連するピストンによって密封されていることを特徴とする請求項４に記載の吐出機構。
【請求項６】
前記アクチュエータ機構が休止位置に戻る動きによって、前記吐出機構の出口を介して前記空気チャンバに空気を吸い込み、前記出口に残存するすべての泡を前記空気チャンバに吸い戻すことを特徴とする請求項４又は５に記載の吐出機構。
【請求項７】
前記液体チャンバが、ピストンと、前記ピストンが前記チャンバから引出されている場合に液体を前記チャンバに入れさせる逆止弁と、を有し、
前記吐出機構が、輸送時の前記アクチュエータの偶発の操作を防止し、かつ前記アクチュエータ機構を最も押し込んだ位置に保持して前記液体チャンバの前記ピストンを前記逆止弁と接触させて前記バルブを閉位置に保持するための輸送キャップを含むことを特徴とする請求項１乃至６のいずれか１項に記載の吐出機構。
【請求項８】
前記拡散器が、前記シャフト内部に位置する剛体ディスクの形状を成し、前記シャフトの内壁と前記拡散器とが複数の分散チャネルを画定することを特徴とする請求項１乃至７のいずれか１項に記載の吐出機構。
【請求項９】
前記拡散器がその外縁の周りに窪みを有し、該窪みが前記シャフトの前記内壁と相俟って前記複数のチャネルを画定することを特徴とする請求項８に記載の吐出機構。
【請求項１０】
前記拡散器が、貫通して延在する複数の開口を有する剛体ディスクを含むことを特徴とする請求項１乃至７のいずれか１項に記載の吐出機構。
【請求項１１】
前記シャフトが、それぞれが単体として成形された上部部品と下部部品とを含み、前記上部部品が第１のピストンと拡散器とを含み、前記下部部品が第２のピストンと前記機構の出口通路とを含むことを特徴とする請求項１乃至１０のいずれか１項に記載の吐出機構。
【請求項１２】
前記シャフトの前記上部部品が、前記第１の部品と一体成形されたリテーナディスクを更に含み、前記リテーナディスクの端部と前記シャフトの内壁が相互に係合して前記上部部品及び下部部品を互いに係止するように構成されていることを特徴とする請求項１１に記載の吐出機構。
【請求項１３】
手動操作するように構成されたことを特徴とする請求項１乃至１２のいずれか１項に記載の吐出機構。
【請求項１４】
ユーザによるワンストロークの作動を受け、吐出機構のフルストロークによりユーザに所定量の製品を吐出するためのユーザインタフェースと、前記ユーザインタフェースの任意の変位を前記吐出機構へ伝達するためのリンク機構と、を更に含み、
前記リンク機構が、前記ユーザインタフェースには前記ユーザインタフェースに許容される限度までの操作を許し、かつ、前記吐出機構には、前記吐出機構が製品の前記所定量を吐出するのに必要なだけの前記インタフェースの操作のみを伝達することを特徴とする請求項１乃至１３のいずれか１項に記載の吐出機構。
【請求項１５】
前記リンク機構が、前記インタフェースと前記吐出機構との間に配置された弾性装置を備え、前記弾性装置は、前記インタフェースの操作により前記吐出機構を完全に動作させるが、前記吐出機構への損傷を防ぐために前記インタフェースの過度の動きは吸収するような特性を有することを特徴とする請求項１４に記載の吐出機構。
【請求項１６】
前記リンク機構が前記ユーザインタフェースに連結されて、前記ユーザインタフェースと共に動く様に構成された第１のプレートと、前記吐出機構に連結された第２のプレートと、前記第１のプレートと前記第２のプレートとの間で動作するように構成された少なくとも１つの弾性部材と、を備え、前記弾性部材は、前記ユーザインタフェースが前記吐出機構を操作させようとする任意の動きに応答して前記２枚のプレートを一緒に変位させるが、前記吐出機構が可動範囲の端に到達した場合には前記第１のプレートの変位を継続したまま、前記第２のプレートを実質的に静止させるように選択されていることを特徴とする請求項１５に記載の吐出機構。
【請求項１７】
石鹸の吐出用であって、壁掛け用に構成され、かつ片手のワンストローク操作が可能な、請求項１４乃至１６のいずれか１項に記載の吐出機構。
【請求項１８】
前記液体チャンバ及び前記空気チャンバの両方の容積を減少することにより前記チャンバの前記内容物を加圧し、かつ前記閉鎖部分が前記液体チャンバから加圧された液体を受取り、前記液体は圧力により前記チャネルを強制的に通過させられることを特徴とする請求項１乃至１７のいずれか１項に記載の吐出機構。
【発明の詳細な説明】
【技術分野】
【０００１】
本発明は泡状製品の吐出機構に関し、これに限定するものではないが、特に壁掛け型の石鹸ディスペンサの吐出機構に関する。
【背景技術】
【０００２】
壁掛け式の石鹸ディスペンサは伝統的には液体石鹸を吐出する。しかし液体石鹸の場合、ディスペンサの下からシンク上へ滴下する間に石鹸を手に付けて流れ落ちないように塗布するためには、高い粘度を必要とする。高粘度の液体石鹸に関して問題が２つある。それはユーザが手の表面に石鹸を簡単に拡げるためには比較的多量を吐出しなければならないということと、高粘度であれば石鹸がディスペンサの出口に多量に残りやすく、これが後で下の面や床に滴り落ちることである。
【０００３】
これらの問題を解決するために、吐出の際に液体石鹸に空気を混入して泡を形成する石鹸ディスペンサが開発された。このディスペンサを操作すると、石鹸が空気のジェット流中に噴霧されて泡を形成する。この方法の利点は、比較的少量の液体石鹸から多量の泡が形成でき、ユーザが手に充分な石鹸を塗るのに必要な液体の量を減らすことができることである。これにより、製品の所要コストが下がり、またディスペンサの詰め替えの頻度も下がる。このように泡ディスペンサは、伝統的な液体石鹸のディスペンサが持つ前記の問題点の１つを克服できる。しかし、まだ多くの泡ディスペンサでは、堆積した泡が液体に戻ってノズルから滴下するという、滴下の問題が残りやすい。また、吐出機構は小型で、最小の部品点数からなることが望ましい。そうすれば、相対的に高価となり、吐出機構をディスペンサの詰替えパックの一部とした製品の販売が現実的となってくる。そして、故障しやすい部品は使い捨ての詰替えの一部分となり、故障の際には詰替えパックの交換で簡単に置き換えることが可能となる。
【先行技術文献】
【特許文献】
【０００４】
【特許文献１】米国特許文献第５，７７９，１０４号
【発明の概要】
【発明が解決しようとする課題】
【０００５】
本発明の目的は、泡製品用の改良された吐出機構の提供にある。
【課題を解決するための手段】
【０００６】
本発明の第１の態様によると、泡製品用の吐出機構が、液体製品を受容するように構成された液体チャンバと、空気を受容するように構成された空気チャンバと、アクチュエータ機構と、発泡チャンバと、を備える。アクチュエータ機構がシャフトを含み、その変位が液体チャンバと空気チャンバの両方の容積を同時に減少させ、各チャンバ内の空気及び液体を発泡チャンバに入らしめる。発泡チャンバはシャフト内部に一体的に形成され、液体が発泡チャンバに入る際に通過する拡散器がシャフト内に配置され、拡散器は複数の分散したチャネルを画定する。その各チャネルは所定の断面積を有し、使用時に液体がチャネルに押し込まれて、複数のジェットとなって発泡チャンバに入る。
【０００７】
本発明によれば、非常にコンパクトな構成で、液体と空気を効率的に混合できる。
【０００８】
好ましくは、アクチュエータ機構は共通シャフト上に２つのピストンを備え、それぞれのピストンが液体チャンバ及び空気チャンバのそれぞれの１つに作用する。このようにして１つだけの可動部分を用いた吐出機構を有することが可能となり、製造コストを低減する。そうして、吐出機構を使い捨て詰替えパックの一部とできれば特に有利である。
【０００９】
有利なことには、第１のチャンバは円筒形を成しており、その中に第１のピストンが延伸してチャンバ内の内容物を加圧する。また、発泡チャンバは非常にコンパクトな構成を取れるのでシャフトの中に形成される。
【００１０】
好ましくは、アクチュエータ機構が、２つのピストンを各チャンバから最大限に後退させた休止位置に付勢される。この休止位置において、液体チャンバは密封され、吐出機構を介して液体が洩れることを防止できる。
【００１１】
休止位置に戻るアクチュエータ機構の動作が、吐出機構の出口を介して空気をチャンバ内へ吸い込み、出口に残っている泡を空気チャンバの中へ吸い戻して、出口における泡が液体に戻って出口から滴ることを防止できれば、特に有利である。
【００１２】
有利なことには、液体チャンバが逆止弁を有し、ピストンがチャンバから引出されている場合に液体がチャンバに入るようにする。ここで、吐出機構は、輸送時のアクチュエータの偶発の操作を防止するために構成された輸送キャップを含む。この輸送キャップは、アクチュエータ機構を最も押し込んだ位置に保持して、液体チャンバのピストンを逆止弁と接触させて閉位置に保持する。これは、壁掛け型ハウジング内に完成ユニットとして組み込める、使い捨て詰替えパックの一部として吐出機構が販売される場合には特に有利となろう。これにより、通常通気口を持たない収縮可能な容器である液体容器の壁面にかかる圧力で、容器内の液体が吐出機構を介して洩れないようにできる。
【００１３】
拡散器がその外縁の周りに複数の窪みを有し、この窪みがシャフトの内壁と相俟って複数のチャネルを画定する。そして、窪みはシャフトの上部部品の成形時に形成することができる。好ましくは、その上に拡散器が一体成形される。あるいは、拡散器の縁は滑らかで、シャフトの内壁に隆起や窪みが形成されてもよい。そうすると、拡散器がシャフト内にある場合に、拡散器とシャフトの内壁とで前述の複数の分散チャネルが形成される。
【００１４】
上記の拡散器の実施形態に代わるものとして、拡散器は、貫通して延在する複数の開口を有する剛体ディスクから成ってもよい。
【００１５】
好ましくは、シャフトは上部部品と下部部品とを含み、それぞれは単品として成形される。上部部品が第１のピストンと拡散器とを含み、下部部品が第２のピストンと機構の出口通路とを含む。シャフトの上部部品が更に、第１の部品と一体に成形されたリテーナディスクを含み、このリテーナディスクの端部とシャフトの内壁とが相互に係合して上部部品と下部部品とを一緒に係止するように構成される。これにより、シャフトが２つの部品だけで構成できるようになり、また同時に、２つのピストン、混合チャンバ及び拡散器も形成される。この時、リテーナによって、２つの部品は単に嵌め合わせるだけで組み立てることができる。
【００１６】
本発明による吐出機構は、石鹸のディスペンサなどのような、手動で操作する適用例に対しては特に有利である。
【００１７】
好ましくは吐出機構が、所定量の製品を吐出するためにユーザが行うワンストローク操作を受けるユーザユーザインタフェースと、ユーザインタフェースの任意の変位を吐出機構のフルストロークで吐出機構へ伝達するためのリンク機構と、を更に含む。ここで、リンク機構は、ユーザインタフェースにはインタフェースに許容される限度までの操作を可能とし、かつ、吐出機構には、ディスペンサ機構に伝達されるべきインタフェース操作の内、吐出機構が製品の所定量を吐出するのに必要なだけのインタフェース操作のみを伝達することを可能とする。
【００１８】
この機構が特に有利なのは、ユーザインタフェースに任意の適度な力を掛けることにより吐出機構がフル動作して製品の所定量の供給が確保され、その一方で、ユーザインタフェースへ過度の圧力をかけても吐出機構には損傷を与えないようになっていることである。また、変更することなしに１つのディスペンサケースを広範な製品及び製品容積と共に使用することが可能となる。即ち、吐出機構のストローク長を調整することにより、共通の吐出機構を調整して異なる製品容積を提供できるようにすることができる。また、ポンプ機構がディスペンサインタフェースの作動ストロークを制御する場合に起きる、吐出機構への損傷も防ぐ。
【００１９】
有利なことに、リンク機構はインタフェースと吐出機構との間に弾性装置を備え、この弾性装置の特性は、インタフェースが十分に操作されれば、吐出機構を完全に作動させるが、それ以上のインタフェースの動きは吐出機構の損傷を防ぐために吸収するようになっている。
【００２０】
本発明は特に、片手でのワンストローク操作ができるように構成された石鹸用ディスペンサに適用可能である。
【図面の簡単な説明】
【００２１】
【図１】本発明によるディスペンス機構の断面図である。ここでは輸送用キャップが装着されている。
【図２ａ】図１の吐出機構から輸送用キャップを外した状態に対応する断面図である。
【図２ｂ】図２のＸで表示した部分の拡大図である。
【図２ｃ】図２の線Ａ−Ａに沿った拡大断面図である。
【図２ｄ】図２の線Ｂ−Ｂに沿った拡大断面図である。
【図３】図２ａに対応した吐出機構の様々な操作段階を示す断面図である。
【図４】図２ａに対応した吐出機構の様々な操作段階を示す断面図である。
【図５】図２ａに対応した吐出機構の様々な操作段階を示す断面図である。
【図６ａ】吐出機構の側立面図である。図１〜８を参照して説明する吐出機構のユーザインタフェースを追加して示す。
【図６ｂ】図６ａのディスペンサの正面断面図である。
【図７ａ】図６ｂに対応した吐出機構の吐出サイクルの様々な操作段階における図である。
【図７ｂ】図６ｂに対応した吐出機構の吐出サイクルの様々な操作段階における図である。
【図８ａ】図６ｂに対応した吐出機構の吐出サイクルの様々な操作段階における図である。
【図８ｂ】図６ｂに対応した吐出機構の吐出サイクルの様々な操作段階における図である。
【図９ａ】図６ｂに対応した吐出機構の吐出サイクルの様々な操作段階における図である。
【図９ｂ】図６ｂに対応した吐出機構の吐出サイクルの様々な操作段階における図である。
【図１０ａ】図６ｂに対応した吐出機構の吐出サイクルの様々な操作段階における図である。
【図１０ｂ】図６ｂに対応した吐出機構の吐出サイクルの様々な操作段階における図である。
【発明を実施するための形態】
【００２２】
次に本発明の一実施形態を、図面を参照しながら単なる例示として説明する。ここで全体を通して同じ部品に対しては同じ符号を使用する。
【００２３】
図１を参照すると、石鹸３で充填された使い捨ての収縮可能な容器２に連結された、本発明による吐出機構１が示されている。容器２と吐出機構１とで、壁掛け型石鹸ディスペンサ用の使い捨て詰替えパックが構成される。
【００２４】
図１の吐出機構は中身が充填された容器２に取り付けられた状態で輸送され、吐出機構のハウジング５に固定された輸送用キャップ４が含まれている。このキャップは、ディスペンサに取り付ける前の吐出機構の偶発的な作動や、収縮可能な容器２の圧縮による漏れを防止する。
【００２５】
吐出機構はシャフト６を有し、このシャフトは、上部部品６ａと下部部品６ｂとから成り、一体に結合して使用時に両者の間での相対的な変位がないようになっている。上部部品６ａが第１のピストン７を画定し、下部部品６ｂが第２のピストン８を画定する。
【００２６】
第１のピストン７は、ハウジング５と共に第１のチャンバ９を画定し、第２のピストン８は、ハウジング５と共に第２のチャンバ１０を画定する。
【００２７】
第１のチャンバ９の最上部に開口部があり、その開口部の中に逆止弁１１がある。逆止弁１１が開くと、液体石鹸３が容器２から第１のチャンバ９へ流入可能となる。
【００２８】
図１に示すように、輸送用キャップが装着されていると、シャフト６とそれに係わるピストン７及び８は完全に押し込まれた（押し上げられた）位置に保持され、それにより第１のピストン７の中央から突き出ているピン１２が逆止弁１１と係合して、図に示すように弁を閉位置に保持する。これにより、輸送中に流体が吐出機構１を介して容器３から漏れることができないようになっている。
【００２９】
次に図２を参照すると、図１から輸送用キャップ４を取り外した状態が示されている。輸送用キャップが取り外されて吐出機構がディスペンサに装着されると（図６ａ〜１０ｂを参照して後述するように）、図２には示されていないが、ディスペンサの仕組みによって、シャフト６の下部部品６ｂの底部付近にあるフランジ１３が図２ａに示す位置へ向けて付勢される。この位置ではゴム製のＯリングシール１４が第１のピストン７を密封して、液体石鹸３がピストン７の外壁とハウジング５の内壁との間を通過するのを防いでいる。Ｏリング１４はエンドキャップ１４ａによって保持されている。シャフト６を下方向へ引くと、液体石鹸３が第１のチャンバ９の中へ流れ込む。
【００３０】
図２ｂで最もよくわかるように、シャフト６の上部部品６ａとシャフト６の下部部品６ｂとが、部品６ａの最下部において部品６ａと６ｂの間にチャネル２２を画定する。フランジ１３によってシャフト６が押し上げられると、第２のチャンバ１０内の空気が圧縮され、下部部品６ｂの開口２４とチャネル２２を通って矢印方向に進み、混合チャンバ１５に至る。
【００３１】
再び図２ａを参照すると、シャフト６の上部部品６ａには更に２つのディスク状要素１８ａ、１８ｂが含まれる。上側のディスク状要素１８ｂはリテーナであり、図２ａの線Ａ−Ａに沿った断面を図２ｄに平面図で示す。シャフト６の上部部品６ａの一部を構成しているリテーナ１８ｂは、シャフト６の下部部品６ｂの内壁中の円周方向の隙間に係合する幅の狭い外周端断面を有している。これが２つの部品６ａと６ｂとを互いに係止する。リテーナ１８ｂの中の開口１８ｄは、後述するように流体が通過することができる。
【００３２】
図２ａの下側のディスク状要素１８ａは拡散器であり、鋸歯状外端１８ｃを有する。この外端とシャフト６の下部部品６ｂの内壁とが、複数のチャネルを画定する。このチャネルは所定の断面をもち、シャフト６の上部部品と下部部品６ｂの内壁とで画定される混合チャンバ１５の中へ延在している。
【００３３】
図示した実施形態では、部品６ｂの内壁に係合する拡散器１８ａの鋸歯状端部によってチャネルが形成されている。しかし、別の構成では、チャネルは拡散器１８ａを貫通する分散した開口で形成されてもよいし、あるいは拡散器は平滑な外端を有し、部品６ｂの内壁が表面に垂直な隆起を持ってもよく、そうすると拡散器１８ａの端部との組合せでチャネルが画定される。各構成においては、それぞれが通過する液体石鹸の圧力には依存しない所定の断面をもった多数の分散されたチャネルを介して、液体石鹸を混合チャンバ１５の中へ注入することが可能となる（図２ｂ及び図３の矢印３ｂで示す）。
【００３４】
図３からわかるように、フランジ１３にかかるディスペンサの操作によって、シャフト６が（図２ａに示す位置に対して）押し上げられると、シャフト６の上部部品６ａが動いてピストン６がＯリング１４では最早密封されない位置となる。そうすると、第１のチャンバ９に入るピストン７の動作によって液体石鹸３が移動させられ、リテーナ１８ｂの開口１８ｄを介して第１のピストン７の横を強制的に下がり、拡散器１８ａのチャネル１８ｅの中へ入り込む。液体３は圧力のもとで、複数のジェット流となってチャネルから混合チャンバ１５の中へスプレーされる。同時に、空気が矢印２５の方向で混合チャンバに中へ送り込まれて空気と液体が入り混じり、図２ｂに示すようにシャフト６の上部部品６ａの円錐状の部分１７にある開口６ｄを介して、泡となって混合チャンバ１５から出てゆく。
【００３５】
図２ａ及び図３に示されているように、泡は矢印２７の方向にシャフト６の下部部品６ｂにより形成された中央通路１９を下がって行き、網２１を通過する。ここで、泡を集積して大きさを整えて出口２０へ向かう。
【００３６】
図４は図３に対応する図であるが、シャフト６が完全に押し込まれて（押し上げられて）可動限界に達した状態の吐出機構を示している。
【００３７】
図５は図４に対応しているが、吐出機構１が戻りストロークの途中にある状態を示している。ディスペンサ（図示せず）がフランジ１３をその休止位置へ向かって矢印２８の方向に引いて、吐出機構に作用している。全体サイクルの中のこの段階では、第２のチャンバ１０の容積が拡大することにより、矢印２９及び３０で示されるように、空気が通路１９、チャネル２２、及び開口２３を通って第２のチャンバの中に引き込まれる。これにより、通路１９に残存している泡はすべてチャンバ１０の底部の中に戻され、次の吐出サイクルの開始時にチャネル２２を介して混合チャンバ１５へ強制的に戻される。この結果吐出サイクルの終了時点では、通路１９には泡はなく、従って、泡が液体に戻る時に滴下することはない。次の吐出動作で、容器２の中の液体石鹸３の体積が減少し、容器はしぼむ。
【００３８】
図６ａは、アクチュエータハンドル３７を有する壁掛け式の液体石鹸ディスペンサ３１の側立面図である。図６ｂはディスペンサ３１の正面断面図である。ディスペンサ３１は、図１〜５の吐出機構１を搭載するためのバックプレート３２を含む。ここでは、別のタイプの収縮可能な容器２が示されている。
【００３９】
ディスペンサ３１が主柱３３を有し、バックプレート３２上の垂直支持面内を拘束されて移動する。主柱３３はディスペンサの両側に配置され、主プレート３４に取り付けられている。そして図に示すように、主プレート３４とバックプレート３２との間に作用するばね３５によって主プレート３４は下方の位置に保持されている。
【００４０】
各主柱３３にあるスロット３６が図６ａに示すアクチュエータハンドル３７のペグ（栓）（図示せず）と係合する。このハンドルがユーザインタフェースを提供し、ユーザがディスペンサを操作することができる。ユーザがこのハンドル３７を押すと、ハンドルのペグが主柱３３を垂直に持ち上げる。
【００４１】
移動プレート３８が支柱３９によって係着され、この支柱３９は主プレート３３中の穴を貫通している。支柱３９の上部の肩の部分と主プレート３４との間で作用するばね４０によって、図に示すように、移動プレートは主プレートに隣接する上部位置に保持される。移動プレート３８は、吐出機構１のシャフト６にあるフランジ１３とも係着し、シャフト６が移動プレート３８と共に移動する。
【００４２】
次に図７ａおよび７ｂを参照すると、これらは図６ａおよび６ｂに対応するが、ハンドル３７が一杯に押し込まれて、ハンドルに結合したストップによって制止されている場合の、フルストローク状態のディスペンサを示している。ハンドルを押すことによって主柱３３が図に示す位置まで押し上げられ、これにより今度は主プレート３４、移動プレート３８およびシャフト６が目一杯押し上げられ、所定量の泡を吐出する。
【００４３】
図８ａおよび８ｂを参照すると、操作ストロークの短い、別の吐出機構１ａが取り付けられた同一のディスペンサ３１が示されている。図６ａ〜７ｂを参照して既に説明したのと同様にして、吐出機構１ａがディスペンサ３１に取り付けられる。しかし、対応する図９ａ〜９ｂに示すように、ハンドル３７の部分的な押し込みで、吐出機構のフルストロークを完了できる。ハンドル３７が吐出機構１ａに直接連接していれば、ユーザがよくハンドルを“拳骨でたたく”時に起きるように、更なるハンドル３７の押し付け力で、吐出機構が壊れてしまうことがある。しかし、図１０ａおよび１０ｂに示すように、ハンドルを目一杯動かそうとしてさらにハンドル３７を押し込むと、ばね４０による力に抗して、移動プレート３８が主プレート３４から離れるように動く。このようにして、ばね４０が余分の変位を吸収する弾性手段として作用する。これにより、ディスペンサ３１をフルストローク長の異なる吐出機構と共に用いることが可能となり、あるいは、泡やその他の吐出する製品の量を制御するために、吐出機構のストローク長を変更することが可能となる。
【００４４】
上記の実施形態は例示としてのみ与えられるものであり、本発明の範囲は添付の特許請求の範囲を参照して決定されるべきである。
【図１】
2010540355.tif 000003
【図２ａ】
2010540355.tif 000004
【図２ｂ】
2010540355.tif 000005
【図２ｃ】
2010540355.tif 000006
【図２ｄ】
2010540355.tif 000007
【図３】
2010540355.tif 000008
【図４】
2010540355.tif 000009
【図５】
2010540355.tif 000010
【図６ａ】
2010540355.tif 000011
【図６ｂ】
2010540355.tif 000012
【図７ａ】
2010540355.tif 000013
【図７ｂ】
2010540355.tif 000014
【図８ａ】
2010540355.tif 000015
【図８ｂ】
2010540355.tif 000016
【図９ａ】
2010540355.tif 000017
【図９ｂ】
2010540355.tif 000018
【図１０ａ】
2010540355.tif 000019
【図１０ｂ】
2010540355.tif 000020
【国際調査報告】
2010540355.tif 000021
2010540355.tif 000022